【手続補正書】
【提出日】平成21年4月2日(2009.4.2)
【手続補正１】
【補正対象書類名】特許請求の範囲
【補正対象項目名】全文
【補正方法】変更
【補正の内容】
【特許請求の範囲】
【請求項１】
一定の時間長と一定の周波数帯域とにより定められるスロットを最小制御情報通知単位とし、周波数方向と時間方向との二次元に配列する複数のスロットの制御情報通知単位を制御する制御情報グループ化制御装置であって、
伝搬路状況の周波数変動または時間変動の少なくとも一方を示す伝搬路変動推定値を入力し、伝搬路変動推定値に基づいて、周波数方向の一以上のスロットと時間方向の一以上のスロットの配列で構成される制御情報通知単位へ、複数のスロットをグループ化するグループ化方式を選択するグループ化選択部を備えることを特徴とする制御情報グループ化制御装置。
【請求項２】
一定の時間長と一定の周波数帯域とにより定められるスロットを最小制御情報通知単位とし、周波数方向と時間方向との二次元に配列する複数のスロットの制御情報通知単位を制御する制御情報グループ化制御装置であって、
伝搬路状況を示す伝搬路情報を入力し、前記伝搬路情報に基づいて、伝搬路状況の周波数変動または時間変動の少なくとも一方を示す伝搬路変動推定値を推定する伝搬路変動推定部と、
前記伝搬路変動推定値に基づいて、周波数方向の一以上のスロットと時間方向の一以上のスロットの配列で構成される制御情報通知単位へ、複数のスロットをグループ化するグループ化方式を選択するグループ化選択部と、を備えることを特徴とする制御情報グループ化制御装置。
【請求項３】
一定の時間長と一定の周波数帯域とにより定められるスロットを最小制御情報通知単位とし、周波数方向と時間方向との二次元に配列する複数のスロットの制御情報通知単位を制御する制御情報グループ化制御装置であって、
受信機の移動速度を示す移動速度情報を入力し、前記移動速度の大きさに基づいて、少なくとも伝搬路状況の時間変動を示す伝搬路変動推定値を推定する伝搬路変動推定部と、
前記伝搬路変動推定値に基づいて、周波数方向の一以上のスロットと時間方向の一以上のスロットの配列で構成される制御情報通知単位へ、複数のスロットをグループ化するグループ化方式を選択するグループ化選択部と、を備えることを特徴とする制御情報グループ化制御装置。
【請求項４】
一定の時間長と一定の周波数帯域とにより定められるスロットを最小制御情報通知単位とし、周波数方向と時間方向との二次元に配列する複数のスロットの制御情報通知単位を制御する制御情報グループ化制御装置であって、
過去の伝搬路状況を示す制御情報を記憶する制御情報記憶部と、
現在の伝搬路状況を示す制御情報を入力し、前記過去の制御情報と前記現在の制御情報とを用いて、少なくとも伝搬路状況の時間変動を示す伝搬路変動推定値を推定する伝搬路変動推定部と、
前記伝搬路変動推定値を用いて、周波数方向の一以上のスロットと時間方向の一以上のスロットの配列で構成される制御情報通知単位へ、複数のスロットをグループ化するグループ化方式を選択するグループ化選択部と、備えることを特徴とする制御情報グループ化制御装置。
【請求項５】
前記グループ化選択部は、制御情報通知単位を構成するスロット数を一定にすることを特徴とする請求項１から請求項４のいずれかに記載の制御情報グループ化制御装置。
【請求項６】
前記グループ化選択部は、伝搬路変動推定値が示す周波数変動が所定の閾値より大きい場合に、時間方向のスロット数を大きくし、伝搬路変動推定値が示す周波数変動が所定の閾値以下の場合に、周波数方向のスロット数を大きくすることを特徴とする請求項１から請求項５のいずれかに記載の制御情報グループ化制御装置。
【請求項７】
一定の時間長と一定の周波数帯域とにより定められるスロットを最小制御情報通知単位とし、周波数方向の一以上のスロットと時間方向の一以上のスロットの配列で構成される制御情報通知単位毎の制御情報の送信を制御する制御情報通知制御装置であって、
前記制御情報通知単位へ複数のスロットをグループ化するグループ化方式と、複数のスロット毎の伝搬路情報とを入力し、前記スロット毎の伝搬路情報を用いて、前記制御情報通知単位毎の伝搬路状況を示す制御情報を生成する制御情報生成部と、
前記制御情報生成部へ、生成した制御情報を送信するタイミングを指示する制御情報送信制御部と、を備えることを特徴とする制御情報通知制御装置。
【請求項８】
前記制御情報生成部は、制御情報通知単位を構成する時間方向のスロットの数で前記制御情報を分割し、
前記制御情報送信制御部は、前記分割した制御情報それぞれについて送信するタイミングを指示することを特徴とする請求項７記載の制御情報通知制御装置。
【請求項９】
前記制御情報生成部は、複数のスロットそれぞれの伝搬路情報として、制御情報通知単位を構成する時間方向の第一番目のスロットに対応する伝搬路情報を用いることを特徴とする請求項７または請求項８に記載の制御情報通知制御装置。
【請求項１０】
前記制御情報生成部は、複数の制御情報通知単位それぞれの制御情報を複数に分割し、複数の制御情報通知単位の分割した制御情報を合わせた複合制御情報を生成し、
前記制御情報送信制御部は、前記複合制御情報を送信するタイミングを指示することを特徴とする請求項７または請求項８に記載の制御情報通知制御装置。
【請求項１１】
前記制御情報生成部は、制御情報通知単位の時間方向のスロット数の回数制御情報を生成し、第一番目の制御情報を、時間方向の第一番目のスロットに対応する伝搬路情報を用いて生成し、第二番目の制御情報を、第二番目のスロットに対応する伝搬路情報を用いて前回生成した制御情報を補正することによって生成し、制御情報通知単位の時間方向のスロット数の回数繰り返して制御情報を生成することを特徴とする請求項７または請求項８に記載の制御情報通知制御装置。
【請求項１２】
前記制御情報生成部は、複数のスロットそれぞれの伝搬路情報として、制御情報を通知するタイミングから過去に遡った複数のスロットの伝搬路情報を用いることを特徴とする請求項７または請求項８に記載の制御情報通知制御装置。
【請求項１３】
請求項１から請求項６のいずれかに記載の制御情報グループ化制御装置と、
前記制御情報グループ化制御装置で選択したグループ化方式を含む制御情報を生成する制御情報生成部と、
前記制御情報を送信する送信部と、を備えることを特徴とする無線機。
【請求項１４】
グループ化方式を含む制御情報を受信する受信部と、
一つあるいは複数のスロット毎の伝搬路状況を推定し、一つあるいは複数のスロット毎の伝搬路状況を示す伝搬路情報を出力する伝搬路推定部と、
受信した制御情報に含まれるグループ化方式と、前記伝搬路推定部が出力した伝搬路情報とを入力する請求項７から請求項１２のいずれかに記載の制御情報通知制御装置と、
前記制御情報通知制御装置の制御情報生成部が生成した制御情報を、前記制御情報通知制御装置の制御情報送信制御部が指示するタイミングで送信する送信部と、を備えることを特徴とする無線機。
【請求項１５】
請求項１から請求項６のいずれかに記載の制御情報グループ化制御装置と、
一つあるいは複数のスロット毎の伝搬路状況を推定し、一つあるいは複数のスロット毎の伝搬路状況を示す伝搬路情報を出力する伝搬路推定部と、
前記制御情報グループ化制御装置が選択したグループ化方式と、前記伝搬路推定部が出力した伝搬路情報とを入力する請求項７から請求項１２のいずれかに記載の制御情報通知制御装置と、
前記制御情報通知制御装置の制御情報生成部が生成した制御情報を、前記制御情報通知制御装置の制御情報送信制御部が指示するタイミングで送信する送信部と、を備え、
前記制御情報通知制御装置の制御情報生成部は、グループ化方式と制御情報通知単位毎の伝搬路情報を含む制御情報を生成することを特徴とする無線機。
【請求項１６】
一定の時間長と一定の周波数帯域とにより定められるスロットを最小制御情報通知単位とし、周波数方向と時間方向との二次元に配列する複数のスロットの制御情報通知単位を第一無線機と第二無線機との間で制御するマルチキャリア無線通信システムであって、
第一無線機は、
請求項１から請求項６のいずれかに記載の制御情報グループ化制御装置と、
前記制御情報グループ化制御装置が選択したグループ化方式を示す伝搬路情報を制御情報として生成する制御情報生成部と、
前記制御情報および第二無線機を送信先とするデータ信号を送信する送信部と、を備え
第二無線機は、
前記第一無線機から制御情報を受信する受信部と、
一つあるいは複数のスロット毎の伝搬路状況を推定し、一つあるいは複数のスロット毎の伝搬路状況を示す伝搬路情報を出力する伝搬路推定部と、
受信した制御情報に含まれるグループ化方式と、前記伝搬路推定部が出力した伝搬路情報とを入力する請求項７から請求項１２のいずれかに記載の制御情報通知制御装置と、
前記制御情報通知制御装置の制御情報生成部が生成した制御情報を、前記制御情報通知制御装置の制御情報送信制御部が指示するタイミングで送信する送信部と、を備え、
前記第一無線機は、第二無線機から通知された前記制御情報通知単位毎の伝搬路情報を含む制御情報に基づいて、第二無線機を送信先とするデータ信号を変調および符号化することを特徴とするマルチキャリア無線通信システム。
【請求項１７】
一定の時間長と一定の周波数帯域とにより定められるスロットを最小制御情報通知単位とし、周波数方向と時間方向との二次元に配列する複数のスロットの制御情報通知単位を第一無線機と第二無線機との間で制御するマルチキャリア無線通信システムであって、
第一無線機は、
グループ化方式を含む制御情報を受信する受信部と、
第二無線機を送信先とするデータ信号を送信する送信部と、を備え
第二無線機は、
請求項１から請求項６のいずれかに記載の制御情報グループ化制御装置と、
一つあるいは複数のスロット毎の伝搬路状況を推定し、一つあるいは複数のスロット毎の伝搬路状況を示す伝搬路情報を出力する伝搬路推定部と、
前記制御情報グループ化制御装置が選択したグループ化方式と、前記伝搬路推定部が出力した伝搬路情報とを入力する請求項７から請求項１２のいずれかに記載の制御情報通知制御装置と、
制御情報通知単位毎の伝搬路情報を含む制御情報を送信する送信部と、を備え、
前記第一無線機は、第二無線機から通知された前記制御情報通知単位毎の伝搬路情報を含む制御情報に基づいて、第二無線機を送信先とするデータ信号を変調および符号化することを特徴とするマルチキャリア無線通信システム。
【請求項１８】
一定の時間長と一定の周波数帯域とにより定められるスロットを最小制御情報通知単位とし、周波数方向と時間方向との二次元に配列する複数のスロットの制御情報通知単位を制御する制御情報グループ化制御方法であって、
伝搬路状況の周波数変動または時間変動の少なくとも一方を示す伝搬路変動推定値を入力し、前記伝搬路変動推定値に基づいて、周波数方向の一以上のスロットと時間方向の一以上のスロットの配列で構成される制御情報通知単位へ、複数のスロットをグループ化するグループ化方式を選択するステップを備えることを特徴とする制御情報グループ化制御方法。
【請求項１９】
一定の時間長と一定の周波数帯域とにより定められるスロットを最小制御情報通知単位とし、周波数方向と時間方向との二次元に配列する複数のスロットの制御情報通知単位を制御する制御情報グループ化制御方法であって、
伝搬路状況を示す伝搬路情報に基づいて、伝搬路状況の周波数変動または時間変動の少なくとも一方を示す伝搬路変動推定値を推定するステップと、
前記伝搬路変動推定値に基づいて、周波数方向の一以上のスロットと時間方向の一以上のスロットの配列で構成される制御情報通知単位へ、複数のスロットをグループ化するグループ化方式を選択するステップと、を備えることを特徴とする制御情報グループ化制御方法。
【請求項２０】
一定の時間長と一定の周波数帯域とにより定められるスロットを最小制御情報通知単位とし、周波数方向と時間方向との二次元に配列する複数のスロットの制御情報通知単位を制御する制御情報グループ化制御方法であって、
受信機の移動速度を示す移動速度情報に基づいて、少なくとも伝搬路状況の時間変動を示す伝搬路変動推定値を推定するステップと、
前記伝搬路変動推定値に基づいて、周波数方向の一以上のスロットと時間方向の一以上のスロットの配列で構成される制御情報通知単位へ、複数のスロットをグループ化するグループ化方式を選択するステップと、を備えることを特徴とする制御情報グループ化制御方法。
【請求項２１】
一定の時間長と一定の周波数帯域とにより定められるスロットを最小制御情報通知単位とし、周波数方向と時間方向との二次元に配列する複数のスロットの制御情報通知単位を制御する制御情報グループ化制御方法であって、
過去の伝搬路状況を示す制御情報を記憶するステップと、
前記過去の制御情報と現在の伝搬路状況を示す現在の制御情報とを用いて、少なくとも伝搬路状況の時間変動を示す伝搬路変動推定値を推定するステップと、
前記伝搬路変動推定値を用いて、周波数方向の一以上のスロットと時間方向の一以上のスロットの配列で構成される制御情報通知単位へ、複数のスロットをグループ化するグループ化方式を選択するステップと、備えることを特徴とする制御情報グループ化制御方法。
【請求項２２】
前記グループ化方式を選択するステップは、制御情報通知単位を構成するスロット数を一定にすることを特徴とする請求項１８から請求項２１のいずれかに記載の制御情報グループ化制御方法。
【請求項２３】
前記グループ化方式を選択するステップは、伝搬路変動推定値が示す周波数変動が所定の閾値より大きい場合に、時間方向のスロット数を大きくし、伝搬路変動推定値が示す周波数変動が所定の閾値以下場合に、周波数方向のスロット数を大きくすることを特徴とする請求項１８から請求項２２のいずれかに記載の制御情報グループ化制御方法。
【請求項２４】
一定の時間長と一定の周波数帯域とにより定められるスロットを最小制御情報通知単位とし、周波数方向の一以上のスロットと時間情報の一以上のスロットの配列で構成される制御情報通知単位毎の制御情報の送信を制御する制御情報通知制御装置であって、
前記制御情報通知単位毎の伝搬路状況を示す制御情報を生成する制御情報生成部を備えることを特徴とする制御情報通知制御装置。